(57)【要約】【課題】より確実に、より簡単に、瓶の蓋を開閉でき、より安全に、より清潔に使用できるようにする。【解決手段】係止部の部分のうち、一方の部分が、ヒンジ側に開いているコの字形の断面形状であって、被係止部を挿入可能な断面形状に形成され、他方の部分が、一方の部分の面のうち、コの字形の開いている側に対向する面に連なる板状に形成され、係止部の一方の部分の内側には、コの字形の開いている側に突出する突起であって、開口部挟持部側に被係止部を留める突起が設けられている。【選択図】図７
2019064718.tif 000002
【特許請求の範囲】
【請求項１】
広口瓶の蓋の側面の外周を挟持する蓋挟持部と、広口瓶の開口部の外周を挟持する開口部挟持部とがヒンジで接合され、広口瓶に蓋を開閉自在に装着する開閉器具において、
前記ヒンジに対向する側に前記蓋挟持部に形成され、前記開口部挟持部に向かって突出しているＵ字形であって、Ｕ字形の閉じている側の端部の長手方向が前記ヒンジの軸と平行する向きに配置されているＵ字形の被係止部と、
前記ヒンジの軸と平行する向きの揺動軸により揺動自在に前記被係止部と対向する位置に開口部挟持部に設けられ、前記被係止部を挿脱自在に係止する係止部と、
前記係止部の部分のうち、前記揺動軸から前記蓋挟持部側の端部までの部分である一方の部分を前記被係止部側に押し付ける向きに前記係止部に付勢するバネと
を含み、
前記係止部の部分のうち、前記一方の部分が、前記ヒンジ側に開いているコの字形の断面形状であって、前記被係止部を挿入可能な断面形状に形成され、
前記係止部の部分のうち、他方の部分が、前記一方の部分の面のうち、コの字形の開いている側に対向する面に連なる板状に形成され、
前記係止部の前記一方の部分のコの字形の開いている側に対向する面の内側には、コの字形の開いている側に突出する突起であって、前記開口部挟持部側に前記被係止部を留める突起が設けられている
開閉器具。
【請求項２】
請求項１に記載の開閉器具において、
前記突起の前記被係止部に近い側には、コの字形の開いている側に対向する面に対して２０度以上６０度以下の角度の傾斜が形成され、
前記突起の前記揺動軸に近い側には、コの字形の開いている側に対向する面に対して８０度以上１００度以下の角度の傾斜が形成されている
開閉器具。
【請求項３】
請求項２に記載の開閉器具において、
前記突起の断面であって、前記被係止部のＵ字形の閉じている側の端部の断面方向の断面は、三角状である
開閉器具。
【請求項４】
請求項１に記載の開閉器具において、
前記バネによって前記係止部の前記一方の部分が前記開口部挟持部側に押し付けられている場合、前記係止部の前記一方の部分のコの字形の開いている側が、前記開口部挟持部に当接することで、前記被係止部が前記係止部に挿入可能な位置に前記係止部の位置が規制される
開閉器具。
【請求項５】
請求項１に記載の開閉器具において、
前記バネは、板バネまたはねじりコイルバネである
開閉器具。
【請求項６】
請求項１に記載の開閉器具において、
前記蓋挟持部と前記開口部挟持部とを接合する前記ヒンジに、前記蓋挟持部と前記開口部挟持部とが所定の角度以上に開かれようとする場合、開く動作を規制する開き角度規制部が設けられている
開閉器具。
【請求項７】
請求項６に記載の開閉器具において、
前記開き角度規制部は、前記ヒンジの前記開口部挟持部側に設けられている突起であって、前記蓋挟持部が開かれたとき前記ヒンジの前記蓋挟持部側に接触する突起である
開閉器具。
【請求項８】
請求項１に記載の開閉器具において、
前記蓋挟持部および前記開口部挟持部は、金属材料で形成されている
開閉器具。
【請求項９】
請求項８に記載の開閉器具において、
前記蓋挟持部は、線状の金属材料で形成され、
前記開口部挟持部は、板状の金属材料で形成されている
開閉器具。
【請求項１０】
請求項９に記載の開閉器具において、
前記蓋挟持部の一部が、前記開口部挟持部に対して前記蓋挟持部を開き方向に付勢するバネ状に形成されている
開閉器具。
【請求項１１】
請求項１乃至請求項１０のいずれかに記載の開閉器具が装着されている広口瓶。
【発明の詳細な説明】
【技術分野】
【０００１】
本発明は開閉器具および広口瓶に関し、特に、蓋を容易に開閉できるようにした開閉器具および広口瓶に関する。
【背景技術】
【０００２】
広口瓶の容器の口の外周を挟持する枠に、蓋の外周を挟持する枠を引っ掛けて止める金具を設けた広口瓶が広く使用されている。
【０００３】
蓋が前記閉状態にあるときに、係止金具の下部に設けられた操作部を容器本体側に向けて押すと、係止金具の上部に設けられたフック部が蓋保持線材の突出部から離脱し、これにより、蓋に対する係止手段の係止が解除される、開いた蓋が再び閉じるときに、蓋保持線材の突出部の先端の曲面部分がフック部に当接し、曲面部分の下方への移動に伴って係止金具は矢印イ方向と逆方向に少し回動するが、突出部がフック部を越えてその下方に至ると、付勢部材の付勢により係止金具は再び矢印イ方向に少し回動し、自動的にフック部が突出部に係止する状態となる密閉容器が提案されている（例えば、特許文献１参照）。
【０００４】
また、容器の口部に装着するリング体にキャップ体を回動自在に軸支させ、この軸支部と反対側のリング体の外周部に、内面に係止片を突設している係合孔を設けると共にキャップ体の外周部に内外板片をＶ字状に連設してなる指掛け部を設け、この指掛け部を上記係合孔に挿入してその外側板片を係止片に摺接させながら内方に弾性的に撓ませ、該外側板片に設けている上向き係止面が係止片を通過した際に、弾性復元させて上向き係止面を係止片に係止させると同時にキャップ体の下面に装着しているシール材を容器の口部の開口上端面に密着させるように構成しているものもある（例えば、特許文献２参照）。
【先行技術文献】
【特許文献】
【０００５】
【特許文献１】特開２０１４−９１５５５号公報
【特許文献２】特開２００６−２９８４１５号公報
【発明の概要】
【発明が解決しようとする課題】
【０００６】
しかしながら、特許文献１の密閉容器では、蓋が開いた側において、係止金具が瓶の口よりも蓋側に突出しているので、収容物を注いだり、掬い出したりするときに邪魔になりやすい。また、特許文献１の密閉容器では、ヒンジに遊びがあると、蓋を閉じようとするときに、フック部と突出部とがずれやすい。
【０００７】
特許文献２の容器では、指掛け部の外側板片を弾性的に撓ませて、外側板片に設けている上向き係止面が係合孔の内面の係止片に係止させるので、係止片と係止面との引っ掛かりをそれほど大きくすることはできず、確実に蓋を閉じておくことは困難である。また、仮に、係止片と係止面との引っ掛かりを十分に大きくしてしまうと、繰り返し開閉したとき、指掛け部が繰り返し大きく屈曲されることになり、さらに、蓋を閉じておくには、常に、係止片と係止面との引っ掛かりに常に力をかける必要があるので、指掛け部の反発力が低下したり、係止片または係止面のいずれか一方が摩耗したりしてしまうと、閉じられなくなってしまう恐れがある。
【０００８】
本発明は、このような状況に鑑みてなされたものであり、より確実に、より簡単に、瓶の蓋を開閉でき、より安全に、より清潔に使用することができるようにするものである。
【課題を解決するための手段】
【０００９】
本発明の第１の側面の開閉器具は、広口瓶の蓋の側面の外周を挟持する蓋挟持部と、広口瓶の開口部の外周を挟持する開口部挟持部とがヒンジで接合され、広口瓶に蓋を開閉自在に装着する開閉器具であって、ヒンジに対向する側に蓋挟持部に形成され、開口部挟持部に向かって突出しているＵ字形であって、Ｕ字形の閉じている側の端部の長手方向がヒンジの軸と平行する向きに配置されているＵ字形の被係止部と、ヒンジの軸と平行する向きの揺動軸により揺動自在に被係止部と対向する位置に開口部挟持部に設けられ、被係止部を挿脱自在に係止する係止部と、係止部の部分のうち、揺動軸から蓋挟持部側の端部までの部分である一方の部分を被係止部側に押し付ける向きに係止部に付勢するバネとを含み、係止部の部分のうち、一方の部分が、ヒンジ側に開いているコの字形の断面形状であって、被係止部を挿入可能な断面形状に形成され、係止部の部分のうち、他方の部分が、一方の部分の面のうち、コの字形の開いている側に対向する面に連なる板状に形成され、係止部の一方の部分のコの字形の開いている側に対向する面の内側には、コの字形の開いている側に突出する突起であって、開口部挟持部側に被係止部を留める突起が設けられている。
【００１０】
被係止部が開口部挟持部に向かって突出しているＵ字形に形成され、係止部の一方の部分がコの字形の断面形状に形成されているので、蓋を閉じる場合に、Ｕ字形に形成されている被係止部が、コの字形の断面形状に形成されている係止部の一方の部分に導かれて、係止部の一方の部分に被係止部が挿入されるので、より確実に、被係止部が係止部に係止され、より確実に、瓶の蓋を閉じることができる。係止部の一方の部分がコの字形の断面形状に形成されているので、係止部の他方の部分が押圧されていて、係止部の一方の部分が被係止部から離れた位置にあっても、蓋を閉じる場合に、係止部の一方の部分と被係止部とが干渉することがなく、被係止部が、コの字形の断面形状に形成されている係止部の一方の部分に導かれて、係止部の一方の部分に被係止部が挿入されるので、より確実に、被係止部が係止部に係止され、より確実に、瓶の蓋を閉じることができる。また、係止部の一方の部分がコの字形の断面形状に形成されているので、コの字形の平滑な面が外側になり、引っ掛かったり、収容物が付着してしまったりすることを抑制でき、また仮に収容物が付着しても簡単に取れるので、より安全に、より清潔に使用することができる。
【００１１】
係止部がヒンジの軸と平行する向きの揺動軸により揺動自在に設けられているので、係止部の一方の部分の変位をより大きくすることができ、従って、被係止部のＵ字形の閉じている側の端部と係合する突起を十分に高くすることができ、より確実に、被係止部が係止部に係止され、より確実に、瓶の蓋を閉じることができる。また、瓶の蓋が閉じられた状態をより確実に維持できる。係止部の他方の部分が、一方の部分の面のうち、コの字形の開いている側に対向する面に連なる板状に形成されているので、開口部挟持部側に押圧しやすく、より確実に、より簡単に、蓋を開くことができる。係止部がヒンジの軸と平行する向きの揺動軸により揺動自在に設けられているので、係止部の他方の部分をより小さい力で押しても、係止部の一方の部分の内側の突起と被係止部のＵ字形の閉じている側の端部との係合を外すことができ、広口瓶を持ったまま、より小さい力で、より確実に、より簡単に、蓋を開くことができる。
【００１２】
また、被係止部が開口部挟持部に向かって突出しているＵ字形とされているので、係止部を広口瓶の開口から蓋側に向かって突出させる必要がなく、収容物を注いだり、掬い出したりするときに邪魔にならず、また、引っ掛かったり、収容物が付着してしまったりすることを抑制できるので、より安全に、より清潔に使用することができる。さらにまた、被係止部のＵ字形の閉じている側の端部の長手方向がヒンジの軸と平行する向きに配置されているので、広口瓶の開口の面に平行の向きに必要以上に出っ張ることがなく、邪魔になりにくく、また、引っ掛かったり、収容物が付着してしまったりすることを抑制できるので、より安全に、より清潔に使用することができる。このように、より確実に、より簡単に、瓶の蓋を開閉でき、より安全に、より清潔に使用することができる。
【００１３】
突起の被係止部に近い側には、コの字形の開いている側に対向する面に対して２０度以上６０度以下の角度の傾斜を形成し、突起の揺動軸に近い側には、コの字形の開いている側に対向する面に対して８０度以上１００度以下の角度の傾斜を形成することができる。このようにすることで、瓶の蓋の上面を押すだけで、より確実に、より簡単に、瓶の蓋を閉じることができる。
【００１４】
突起の断面であって、被係止部のＵ字形の閉じている側の端部の断面方向の断面は、三角状とすることができる。
【００１５】
バネによって係止部の一方の部分が開口部挟持部側に押し付けられている場合、係止部の一方の部分のコの字形の開いている側が、開口部挟持部に当接することで、被係止部が係止部に挿入可能な位置に係止部の位置が規制されるようにすることができる。このようにすることで、蓋を閉じる場合に、Ｕ字形に形成されている被係止部が、位置が規制されている係止部の一方の部分に導かれて、係止部の一方の部分に被係止部が挿入されるので、より確実に、被係止部が係止部に係止され、より確実に、より簡単に、瓶の蓋を閉じることができる。
【００１６】
バネは、板バネまたはねじりコイルバネとすることができる。このようにすることで、バネを係止部と広口瓶の側面との間に収めることができる。
【００１７】
蓋挟持部と開口部挟持部とを接合するヒンジに、蓋挟持部と開口部挟持部とが所定の角度以上に開こうとする場合、開く動作を規制する開き角度規制部を設けることができる。このようにすることで、蓋を開ける場合に、所定の角度以上に開こうとする動作が規制されるので、蓋が開きすぎて広口瓶が倒れてしまうことを防止でき、より安全に、より清潔に使用することができる。
【００１８】
開き角度規制部を、ヒンジの開口部挟持部側に設けられている突起であって、蓋挟持部が開かれたときヒンジの蓋挟持部側に接触する突起とすることができる。このようにすることで、より容易に製造することができる。
【００１９】
蓋挟持部および開口部挟持部を、金属材料で形成することができる。このようにすることで、へたりがより少なくなり、より確実に、より簡単に、瓶の蓋を開閉できる。また、樹脂等に比較すると、油などの汚れを比較的簡単に落とすことができるので、より安全に、より清潔に使用することができる。
【００２０】
蓋挟持部を、線状の金属材料で形成し、開口部挟持部を、板状の金属材料で形成することができる。このようにすることで、特殊な材料や加工を必要とせず、より容易に製造することができる。
【００２１】
蓋挟持部の一部を、開口部挟持部に対して蓋挟持部を開き方向に付勢するバネ状に形成することができる。
【００２２】
広口瓶に開閉器具を装着することができる。
【発明の効果】
【００２３】
以上のように、本発明によれば、より確実に、より簡単に、瓶の蓋を開閉でき、より安全に、より清潔に使用することができる。
【図面の簡単な説明】
【００２４】
【図１】広口瓶１１の構成の一例を示す左側面図である。
【図２】広口瓶１１の構成の一例を示す正面図である。
【図３】広口瓶１１の構成の一例を示す右側面図である。
【図４】広口瓶１１の構成の一例を示す背面図である。
【図５】広口瓶１１の構成の一例を示す上面図である。
【図６】開口部挟持部６１が装着されている瓶２１の本体３１を示す上面図である。
【図７】係止部７２および被係止部１０６の外形と図５中のA-B線における係止部７２および被係止部１０６の断面とを拡大して示す拡大図である。
【図８】ヒンジの拡大図である。
【図９】ヒンジに設けられている突起を拡大して示す図である。
【図１０】蓋３２を開ける動作を示す広口瓶１１の左側面図である。
【図１１】係止部７２および被係止部１０６の外形と図５中のA-B線における係止部７２および被係止部１０６の断面とを拡大して示す拡大図である。
【図１２】係止部７２および被係止部１０６の外形と図５中のA-B線における係止部７２および被係止部１０６の断面とを拡大して示す拡大図である。
【図１３】蓋３２を開ける動作を示す広口瓶１１の左側面図である。
【図１４】蓋３２を開ける動作を示す広口瓶１１の左側面図である。
【発明を実施するための形態】
【００２５】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２６】
本発明の第１の側面の開閉器具は、広口瓶の蓋の側面の外周を挟持する蓋挟持部（例えば、図１の蓋挟持部６２）と、広口瓶の開口部の外周を挟持する開口部挟持部（例えば、図１の開口部挟持部６１）とがヒンジで接合され、広口瓶に蓋を開閉自在に装着する開閉器具であって、ヒンジに対向する側に蓋挟持部に形成され、開口部挟持部に向かって突出しているＵ字形であって、Ｕ字形の閉じている側の端部の長手方向がヒンジの軸と平行する向きに配置されているＵ字形の被係止部（例えば、図１の被係止部１０６）と、ヒンジの軸と平行する向きの揺動軸により揺動自在に被係止部と対向する位置に開口部挟持部に設けられ、被係止部を挿脱自在に係止する係止部（例えば、図１の係止部７２）と、係止部の部分のうち、揺動軸（例えば、図１の揺動軸７３）から蓋挟持部側の端部までの部分である一方の部分（例えば、図１のコの字状部９２）を被係止部側に押し付ける向きに係止部に付勢するバネ（例えば、図１のバネ７４）とを含み、係止部の部分のうち、一方の部分が、ヒンジ側に開いているコの字形の断面形状であって、被係止部を挿入可能な断面形状に形成され、係止部の部分のうち、他方の部分（例えば、図１のレバー９１）が、一方の部分の面のうち、コの字形の開いている側に対向する面に連なる板状に形成され、係止部の一方の部分のコの字形の開いている側に対向する面の内側には、コの字形の開いている側に突出する突起であって、コの字形の開いている側に対向する面に対して、被係止部に近い側の傾斜の角度が、２０度以上６０度以下であり、揺動軸に近い側の傾斜の角度が、８０度以上１００度以下である突起（例えば、図５の突起１３１）が設けられている。
【００２７】
以下、本発明の一実施の形態の広口瓶および開閉器具を図１乃至図１４を参照して説明する。図１乃至図５は、それぞれ、広口瓶１１の構成の一例を示す左側面図、正面図、右側面図、背面図および上面図である。
【００２８】
なお、以下、広口瓶１１に対して前後の方向をＹ軸で図示し、上下の方向をＺ軸で図示し、左右の方向をＸ軸で図示する。また、以下、Ｘ軸方向のうち、図２中の左側を単に左側と称し、Ｘ軸方向のうち、図２中の右側を単に右側と称する。さらに、以下、Ｙ軸方向のうち、図１中の右側を単に前側と称し、Ｙ軸方向のうち、図１中の左側を単に後側と称する。さらにまた、以下、Ｚ軸方向のうち、図１中の上側を単に上側と称し、Ｚ軸方向のうち、図１中の下側を単に下側と称する。また、Ｚ軸方向を、単に上下方向とも称し、Ｘ軸およびＹ軸に平行な面に沿う方向を単に水平方向または横方向とも称する。
【００２９】
広口瓶１１は、略円柱状に形成されている蓋付きの瓶である。広口瓶１１には、開閉器具が装着されている。広口瓶１１の蓋は、開閉器具により、開閉可能とされている。広口瓶１１は、密閉瓶または密封容器などとも称される。
【００３０】
広口瓶１１は、瓶２１および開閉器具５１からなる。瓶２１は、ガラス材で略円柱状に形成されている蓋付きの瓶である。瓶２１は、本体３１、蓋３２およびパッキン３３からなる。本体３１は、固体または液体である収容物を収容する。例えば、本体３１は、食品や各種の材料などである収容物を収容する。本体３１の口（以下、開口部と称する。）は、収容物を収容する部分の水平方向の断面と概ね同じ程度の大きさとされている。
【００３１】
蓋３２は、パッキン３３を挟んで、本体３１の開口部を閉じる。蓋３２には、パッキン３３が装着されている。パッキン３３は、本体３１の開口部に沿う形状であって、中心側が抜いてある円板状に形成され、本体３１の開口部が蓋３２で閉じられたとき、隙間を塞ぎ、密閉性を高める。パッキン３３は、弾性を備える天然ゴム、シリコンゴム、ニトリルゴム若しくはフッ素ゴムまたは四フッ化エチレン樹脂などの天然樹脂または合成樹脂などから形成されている。
【００３２】
開閉器具５１は、瓶２１に装着されている。開閉器具５１は、瓶２１の蓋３２を本体３１に対して開閉自在に保持する。
【００３３】
開閉器具５１は、開口部挟持部６１および蓋挟持部６２からなる。開口部挟持部６１は、ステンレススチールやメッキ鋼板などの板状の金属材料で形成され、瓶２１の本体３１の開口部の外周を挟持する。蓋挟持部６２は、ステンレススチールやメッキ鋼材などの線状の金属材料で形成され、瓶２１の蓋３２の側面の外周を挟持する。開口部挟持部６１と蓋挟持部６２とは、後述するヒンジで接合されている。開口部挟持部６１が、板状の金属材料で形成され、蓋挟持部６２が、線状の金属材料で形成されるので、特殊な材料や加工を必要とせず、より容易に製造することができる。また、開口部挟持部６１および蓋挟持部６２を、金属材料で形成すると、へたりがより少なくなり、より確実に、より簡単に、瓶の蓋を開閉できる。さらにまた、樹脂等に比較すると、汚れを比較的簡単に落とすことができるので、より安全に、より清潔に使用することができる。
【００３４】
まず、開口部挟持部６１の構成の詳細について説明する。開口部挟持部６１は、口金部７１、係止部７２、揺動軸７３、バネ７４および留め具７５からなる。口金部７１は、一体に形成され、瓶２１の本体３１の開口部の外周を挟持する。口金部７１には、支持部８１、挟持部８２および支持部８３が形成されている。口金部７１は、１枚の板を折り曲げて左右対称に形成されている。
【００３５】
支持部８１は、口金部７１の開いている端部側である、口金部７１の一方の端部側（後側の端部側）に形成されている。支持部８１は、概ね平行に配置されている２枚の板状の部分である。支持部８１の２枚の板には、円形のヒンジ孔９５が同軸に形成されている。詳細は後述するが、ヒンジ孔９５には、蓋挟持部６２が回動自在に通されて、ヒンジが形成される。支持部８１の２枚の板は、留め具７５に形成されている２つの平行に配置されているスリットにそれぞれ挿入されて、支持部８１が開かないように留められている。
【００３６】
挟持部８２は、支持部８１および支持部８３に挟まれている部分である。挟持部８２は、それぞれ、水平方向の断面が半円の周状の２枚の板状の部分からなる略円形状に形成されている。挟持部８２は、本体３１の開口部に設けられている留め溝４１であって、本体３１の開口部の側面が１周に渡って凹んだ形状に形成されている留め溝４１に嵌められて、本体３１の開口部の外周を挟持する。
【００３７】
支持部８３は、口金部７１の閉じている端部側である、口金部７１の他方の端部側（前側の端部側）に形成されている、断面がコの字状に形成されている部分である。支持部８３には、揺動軸７３が通され、揺動軸７３によって係止部７２が揺動自在に固定される。すなわち、例えば、支持部８３と係止部７２とに、揺動軸７３を通す孔が同軸に開けられ、その孔にリベットである揺動軸７３が通されて、揺動軸７３の胴の端部がかしめられて（潰されて）、揺動軸７３によって係止部７２が支持部８３に揺動自在に固定される。
【００３８】
係止部７２は、揺動軸７３により揺動自在に支持部８３に固定され、蓋挟持部６２の一方の端部を挿脱自在に係止する。係止部７２の外側は、一体に形成されている。バネ７４は、金属製のＵ字状の板バネである。バネ７４の一方の端部は、本体３１の側面に接し、バネ７４の他方の端部は、係止部７２の下側の部分の内側に接している。バネ７４は、係止部７２の上側の部分を支持部８３側に押し付ける向きに係止部７２に付勢する。バネ７４は、金属製のねじりコイルバネとすることもできる。バネ７４を、板バネまたはねじりコイルバネとすることで、バネ７４を係止部７２と本体３１の側面との間に収めることができる。
【００３９】
係止部７２には、レバー９１、コの字状部９２、挿入口９３および位置規制部９４が形成されている。レバー９１は、係止部７２の下側の部分として板状に形成されている。レバー９１の正面側の面、すなわち、レバー９１の外側の面には、滑り止めのため、円形状の窪みが設けられている。コの字状部９２は、係止部７２の上側の部分として、瓶２１側に開いているコの字形の断面形状に形成されている。挿入口９３は、係止部７２の上側の開口であり、蓋挟持部６２の一方の端部を挿入可能な形状に形成されている。
【００４０】
位置規制部９４は、係止部７２のコの字形の開いている側、すなわち、瓶２１側に形成され、バネ７４によってコの字状部９２が支持部８３側に押し付けられている場合、支持部８３に当接する。
【００４１】
すなわち、レバー９１は、コの字状部９２の面のうち、コの字形の開いている側に対向する面に連なる板状に形成されている。なお、板状のレバー９１は、コの字状部９２の面のうち、コの字形の開いている側に対向する面に対して、面が折れ曲がる方向に角度を付けて連なる。このようにすることで、瓶２１の本体３１の側面に対して、レバー９１を押しやすい角度に配置することができる。また、レバー９１を曲面状に形成することもできる。
【００４２】
コの字状部９２は、係止部７２の上側の部分として、瓶２１側に開いているコの字形の断面形状であって、蓋挟持部６２の一方の端部を挿入可能な断面形状に形成されている。位置規制部９４は、バネ７４によって係止部７２のコの字状部９２が支持部８３側に押し付けられている場合、支持部８３に当接することで、蓋挟持部６２の一方の端部が挿入口９３に挿入可能な位置に係止部７２の位置を規制する。
【００４３】
次に、蓋挟持部６２の構成の詳細について説明する。蓋挟持部６２は、一体に形成され、瓶２１の蓋３２の側面の外周を挟持する。蓋挟持部６２には、ヒンジ軸１０１、バネ部１０２、支持部１０３、挟持部１０４、支持部１０５および被係止部１０６が形成されている。蓋挟持部６２は、１枚の金属線（金属棒）を折り曲げて左右対称に形成されている。
【００４４】
ヒンジ軸１０１は、蓋挟持部６２の開いている端部側である、蓋挟持部６２の一方の端部側（後側の端部側）に形成されている。ヒンジ軸１０１は、左右に開いている概ね同軸状に形成され、ヒンジ孔９５に回動自在に通される。すなわち、ヒンジ孔９５が設けられている支持部８１とヒンジ軸１０１とで、ヒンジが形成され、開口部挟持部６１に対して蓋挟持部６２が回動自在に固定されている。
【００４５】
バネ部１０２は、ヒンジ軸１０１と支持部１０３との間に形成され、左右ずつ巻かれたコイルバネ状に形成されている部分である。バネ部１０２は、開口部挟持部６１に対して蓋挟持部６２を開き方向に付勢する。バネ部１０２を設けることにより、蓋３２を閉じた場合、本体３１の開口に対して蓋３２が均等に押し付けられるようになり、広口瓶１１の密閉性が向上する。
【００４６】
支持部１０３は、バネ部１０２と挟持部１０４との間に形成され、概ね平行に配置されている２本の線状の部分である。支持部１０３は、バネ部１０２と挟持部１０４とを繋いで、バネ部１０２に挟持部１０４を支持させる。
【００４７】
挟持部１０４は、支持部１０３および支持部１０５に挟まれている部分である。挟持部１０４は、それぞれ、水平方向の断面が半円の周状の２本の線状の部分からなる略円形状に形成されている。挟持部１０４は、蓋３２の側面に設けられている留め溝４２であって、蓋３２の側面が１周に渡って凹んだ形状に形成されている留め溝４２に嵌められて、蓋３２の側面の外周を挟持する。
【００４８】
支持部１０５は、挟持部１０４と被係止部１０６との間に形成され、概ね平行に配置されている２本の線状の部分である。支持部１０５は、蓋３２の側面に対して外側に突出する方向に伸びて、被係止部１０６が係止部７２の挿入口９３に挿入可能な位置に被係止部１０６を配置する。
【００４９】
被係止部１０６は、下に向かって突出しているＵ字形であって、Ｕ字形の閉じている側の端部の長手方向が瓶２１の側面と平行する向きに配置されているＵ字形に形成されている。すなわち、被係止部１０６の端部は、支持部８１とヒンジ軸１０１とで形成されるヒンジおよび揺動軸７３の軸方向に閉じている。言い換えれば、被係止部１０６は、蓋３２が閉じられている場合、蓋３２の側面から本体３１の側面に向かって突出しているＵ字形に形成されている。また、被係止部１０６の端部は、蓋３２の側面に接する方向に伸びて閉じられている。被係止部１０６の端部は軸状（円柱状）に形成され、被係止部１０６、ヒンジおよび揺動軸７３の軸の向きは一致していると言うこともできる。
【００５０】
次に、図５、図６および図７を参照して、コの字状部９２の内側に設けられている、被係止部１０６を係止するための突起１３１について説明する。図６は、開口部挟持部６１が装着されている瓶２１の本体３１を示す上面図である。図７は、係止部７２および被係止部１０６の外形と図５中のA-B線における係止部７２および被係止部１０６の断面とを拡大して示す拡大図である。
【００５１】
突起１３１は、コの字状部９２の内側に設けられ、コの字状部９２のコの字形の開いている側に突出している。突起１３１は、コの字状部９２に被係止部１０６が挿入された場合、開口部挟持部６１側に被係止部１０６を留める。すなわち、コの字状部９２に被係止部１０６が挿入された場合、被係止部１０６を係止する。突起１３１は、金属板または金属線などの金属材料で形成されている。例えば、突起１３１は、コの字状部９２の内側に溶接されるか、ロウ付けされて固定される。例えば、被係止部１０６のＵ字形の閉じている側の端部の断面方向（Ｙ軸およびＺ軸で規定される平面の方向）における、突起１３１の断面の形状は、三角状とされている。
【００５２】
より詳細には、突起１３１の断面であって、被係止部１０６のＵ字形の閉じている側の端部の断面方向（Ｙ軸およびＺ軸で規定される平面の方向）の断面において、被係止部１０６に近い側の傾斜の角度は、コの字状部９２の面のうちの、コの字形の開いている側に対向する面（前側の面）に対して、２０度以上６０度以下とされている。また、突起１３１の断面であって、被係止部１０６のＵ字形の閉じている側の端部の断面方向（Ｙ軸およびＺ軸で規定される平面の方向）の断面において、揺動軸７３に近い側の傾斜の角度は、コの字状部９２の面のうちの、コの字形の開いている側に対向する面（前側の面）に対して、８０度以上１００度以下とされている。
【００５３】
このようにすることで、バネ７４によってコの字状部９２が被係止部１０６側に押し付けられている場合、被係止部１０６が挿入口９３からコの字状部９２に挿入されると、被係止部１０６に近い側の傾斜の角度が２０度以上６０度以下とされているので、被係止部１０６に近い側の傾斜によって突起１３１が押圧されて、係止部７２が揺動して、被係止部１０６から突起１３１が逃げる。
【００５４】
さらに被係止部１０６が押し込まれて、被係止部１０６が突起１３１を乗り越えると、バネ７４によってコの字状部９２が被係止部１０６側に押し付けられているので、突起１３１が被係止部１０６側に戻り、突起１３１の傾斜のうち、揺動軸７３に近い側の傾斜の角度が８０度以上１００度以下とされているので、突起１３１が被係止部１０６を抑えることになり、これにより、被係止部１０６のＵ字形の閉じている側の端部と突起１３１とが係合して、被係止部１０６が係止部７２に係止させられる。このように、瓶２１の蓋３２の上面を下向きに押すだけで、より確実に、より簡単に、瓶２１の蓋３２を閉じることができる。
【００５５】
また、広口瓶１１の本体３１の側面に向かって係止部７２のレバー９１が押圧されて係止部７２が揺動させられた場合、突起１３１の傾斜のうち、揺動軸７３に近い側の傾斜の角度が８０度以上１００度以下とされているので、被係止部１０６のＵ字形の閉じている側の端部を突起１３１が滑り、被係止部１０６のＵ字形の閉じている側の端部と突起１３１との係合が外れる。
【００５６】
なお、コの字状部９２の面のうちの、コの字形の開いている側に対向する面が上下方向に対して０度乃至２０度の角度で傾斜し、また、突起１３１の傾斜のうち、揺動軸７３に近い側の傾斜の角度が８０度以上１００度以下とされ、さらに、パッキン３３が弾性を備える材料から形成されているので、蓋３２が閉じられた状態をより確実に維持することができる。また、レバー９１が押圧された場合、蓋３２によってパッキン３３が潰されて、被係止部１０６のＵ字形の閉じている側の端部が突起１３１から逃げる向き（下向き）に変位することが出来るので、被係止部１０６のＵ字形の閉じている側の端部が突起１３１の傾斜を滑り、より小さい力で、より確実に蓋３２を開くことができる。
【００５７】
また、蓋３２が閉じている場合、係止部７２のコの字状部９２の内側に被係止部１０６が格納されている状態になるので、被係止部１０６に汚れが付着しにくく、蓋３２を開いたときに、瓶２１の本体３１の開口部から汚れが入ってしまうことが防げる。従って、より安全に、より清潔に使用することができる。
【００５８】
なお、突起１３１の形状は、三角状であると説明したが、これに限定されるものではない。例えば、被係止部１０６のＵ字形の閉じている側の端部の断面方向（Ｙ軸およびＺ軸で規定される平面の方向）における、突起１３１の断面の形状は、四角形状、Ｌ字形状、下側に向いて開いたＶ字形状、半円形状、半楕円形状または一方の直径が下向きになる四分円形状など各種の形状とすることができる。
【００５９】
また、突起１３１をバネ鋼材で形成することにより、被係止部１０６が押し込まれた場合に変形して、被係止部１０６が突起１３１を容易に乗り越えられるようにし、一方で、より確実に、開口部挟持部６１側に被係止部１０６を留めるようにすることができる。
【００６０】
より具体的には、例えば、突起１３１を、バネ鋼材によって、Ｌ字形状または下側に向いて開いたＶ字形状に形成すると、被係止部１０６が押し込まれた場合に変形して、被係止部１０６が突起１３１を容易に乗り越えられ、一方で、より確実に、開口部挟持部６１側に被係止部１０６を留めることができる。
【００６１】
また、例えば、突起１３１を、硬度の比較的高い鋼材によって、半円形状、半楕円形状または一方の直径が下向きになる四分円形状に形成すると、被係止部１０６が押し込まれた場合、係止部７２が揺動して、被係止部１０６から突起１３１が逃げるので、被係止部１０６が突起１３１を容易に乗り越えられ、一方で、より確実に、開口部挟持部６１側に被係止部１０６を留めることができる。
【００６２】
なお、突起１３１は、コの字状部９２の内側に溶接されるか、ロウ付けされて固定されていると説明したが、これに限らず、コの字状部９２をプレス加工して、切込み加工などにより形成するなど、他の加工により形成することもできる。
【００６３】
次に、図８および図９を参照して、ヒンジの構成の詳細を説明する。図８は、ヒンジの拡大図である。図９は、ヒンジに設けられている突起を拡大して示す図である。
【００６４】
２枚の板状の部分である支持部８１は、留め具７５に並列に形成されている２つの四角孔であるスリット９６にそれぞれ挿入されている。ヒンジ軸１０１は、折り曲げられて左右に開いている概ね同軸状に形成され、ヒンジ孔９５に回動自在に通される。ヒンジ孔９５が設けられている支持部８１とヒンジ軸１０１とで、開口部挟持部６１に対して蓋挟持部６２を回動自在に固定するヒンジが形成される。
【００６５】
支持部８１である２枚の板状の部分うちの、右側の板状の部分の内側であって、ヒンジ孔９５の後側には、内側に突出した半球状の突起１２１が形成されている。突起１２１は、蓋挟持部６２が開かれたときヒンジ軸１０１に接触する。すなわち、突起１２１は、蓋挟持部６２が開かれたときヒンジの蓋挟持部６２側に接触して、蓋挟持部６２の開く動作を邪魔する。言い換えると、突起１２１は、蓋挟持部６２と開口部挟持部６１とが所定の角度以上に開かれようとする場合、開く動作を規制する。
【００６６】
このようにすることで、レバー９１を押圧して蓋３２を開ける場合に、所定の角度以上に開こうとする動作が規制されるので、蓋３２が開きすぎて広口瓶１１が倒れてしまうことを防止でき、より安全に、より清潔に使用することができる。また、より容易に製造することができる。
【００６７】
なお、一方の手で本体３１を掴んで、他方の手で蓋３２を開いた場合には、折り曲げられているヒンジ軸１０１が突起１２１を乗り越えて、所望の角度まで蓋３２を開くことができるように、突起１２１の形状が決められている。
【００６８】
次に、図１０乃至図１４の図面を参照して、レバー９１を押圧して蓋３２を開ける場合の動作を説明する。図１０、図１３および図１４は、蓋３２を開ける動作を示す広口瓶１１の左側面図である。図１１および図１２は、係止部７２および被係止部１０６の外形と図５中のA-B線における係止部７２および被係止部１０６の断面とを拡大して示す拡大図である。
【００６９】
図１０に示されるように、閉じられている蓋３２を開こうとする場合、図１０中の矢印Ｃに示される向きに、係止部７２のレバー９１が瓶２１の側面に向かって押圧される。すると、係止部７２が揺動することで、図１０中の矢印Ｄに示される向きに、コの字状部９２が瓶２１の側面から離れるように変位することになる。
【００７０】
このとき、図１１に示されるように、コの字状部９２の内側の突起１３１の傾斜のうち、揺動軸７３に近い側の傾斜によって、被係止部１０６が下向きに押圧される。これにより、蓋３２によってパッキン３３の部位のうち被係止部１０６に近い側の部位が潰されて、被係止部１０６が下向きに変位できる。すなわち、被係止部１０６のＵ字形の閉じている側の端部が突起１３１から逃げる向きに変位する。これにより、被係止部１０６のＵ字形の閉じている側の端部が突起１３１の傾斜を滑り、被係止部１０６と突起１３１との係合が外れる。すなわち、より小さい力でレバー９１を押圧できるので、より小さい力で、より確実に蓋３２を開くことができる。
【００７１】
被係止部１０６と突起１３１との係合が外れると、蓋３２によってパッキン３３の部位のうち被係止部１０６に近い側の部位が潰されているので、パッキン３３の弾力およびバネ部１０２の付勢力により、図１２に示されるように、蓋３２が開かれる。
【００７２】
このとき、図１３に示されるように、ヒンジの突起１２１により、開かれた蓋３２の角度が規制されて、蓋３２が開く勢いで広口瓶１１に加わる力や蓋３２が開くことにより広口瓶１１の重心の位置が広口瓶１１の底面から外れることがなく、従って、広口瓶１１を倒すことなく、より安全に蓋３２を開くことができる。
【００７３】
蓋３２が開かれた後、レバー９１を離すと、図１４に示されるように、バネ７４の付勢力により、図１４中の矢印Ｅに示される向きに、係止部７２のレバー９１が瓶２１の側面から離れるように変位する。すると、係止部７２が揺動することで、図１４中の矢印Ｆに示される向きに、コの字状部９２が瓶２１の側面に近づくように変位することになる。
【００７４】
蓋３２を大きく開くには、一方の手で本体３１を掴んで、他方の手で蓋３２を開けばよく、ヒンジ軸１０１が突起１２１を乗り越えて、所望の角度まで蓋３２を開くことができる。
【００７５】
次に、蓋３２を閉じる場合について説明する。開いている蓋３２を閉じようとする場合、蓋３２の上面が下向きに押圧される。図６に示されるように、係止部７２の挿入口９３が蓋挟持部６２の一方の端部を挿入可能な形状に形成され、また、コの字状部９２が瓶２１側に開いているコの字形の断面形状に形成されているので、挿入口９３からコの字状部９２に導かれて蓋挟持部６２がコの字状部９２の内側に入る。
【００７６】
そして、被係止部１０６が挿入口９３からコの字状部９２に挿入され、突起１３１に当たると、被係止部１０６に近い側の傾斜の角度が２０度以上６０度以下とされているので、被係止部１０６に近い側の傾斜によって突起１３１が押圧されて、コの字状部９２が手前側に変位して、係止部７２が揺動する。これにより、突起１３１が邪魔にならずに、被係止部１０６がさらにコの字状部９２に挿入される。被係止部１０６が突起１３１を乗り越えて、被係止部１０６による突起１３１の押圧がなくなると、バネ７４によってコの字状部９２が被係止部１０６側に押し付けられているので、図７に示されるように、コの字状部９２が後側に変位して、係止部７２がコの字状部９２が瓶２１の側面に近づく姿勢に戻る。
【００７７】
その結果、被係止部１０６のＵ字形の閉じている側の端部と突起１３１とが係合して、被係止部１０６が係止部７２に係止させられる。このように、より小さい力で、より確実に蓋３２を閉じることができる。
【００７８】
すなわち、係止部７２の一方の部分であるコの字状部９２の内側には、バネ７４によって係止部７２のコの字状部９２が開口部挟持部６１側に押し付けられている場合、被係止部１０６が係止部７２に挿入されたとき、被係止部１０６のＵ字形の閉じている側の端部と係合して被係止部１０６を係止させ、係止部７２の他方の部分であるレバー９１が開口部挟持部６１側に押圧されて係止部７２が揺動させられた場合、被係止部１０６のＵ字形の閉じている側の端部との係合が外れる突起１３１が設けられていると言うこともできる。
【００７９】
以上のように、広口瓶１１の蓋３２の側面の外周を挟持する蓋挟持部６２と、広口瓶１１の開口部の外周を挟持する開口部挟持部６１とがヒンジで接合され、広口瓶１１に蓋３２を開閉自在に装着する開閉器具５１に、ヒンジに対向する側に蓋挟持部６２に形成され、開口部挟持部６１に向かって突出しているＵ字形であって、Ｕ字形の閉じている側の端部の長手方向がヒンジの軸と平行する向きに配置されているＵ字形の被係止部１０６と、ヒンジの軸と平行する向きの揺動軸により揺動自在に被係止部１０６と対向する位置に開口部挟持部６１に設けられ、被係止部１０６を挿脱自在に係止する係止部７２と、係止部７２の部分のうち、揺動軸から蓋挟持部６２側の端部までの部分である一方の部分を被係止部１０６側に押し付ける向きに係止部７２に付勢するバネ７４とを設けることができる。
【００８０】
係止部７２の部分のうち、一方の部分であるコの字状部９２が、ヒンジ側に開いているコの字形の断面形状であって、被係止部１０６を挿入可能な断面形状に形成され、係止部７２の部分のうち、他方の部分であるレバー９１が、コの字状部９２の面のうち、コの字形の開いている側に対向する面に連なる板状に形成されている。係止部７２のコの字状部９２のコの字形の開いている側に対向する面の内側には、コの字形の開いている側に突出する突起１３１であって、開口部挟持部６１側に被係止部１０６を留める突起１３１が設けられている。
【００８１】
被係止部１０６が開口部挟持部６１に向かって突出しているＵ字形に形成され、係止部７２の一方の部分であるコの字状部９２がコの字形の断面形状に形成されているので、蓋３２を閉じる場合に、Ｕ字形に形成されている被係止部１０６が、コの字形の断面形状に形成されている係止部７２のコの字状部９２に導かれて、係止部７２のコの字状部９２に被係止部１０６が挿入されるので、より確実に、被係止部１０６が係止部７２に係止され、より確実に、瓶２１の蓋３２を閉じることができる。
【００８２】
係止部７２のコの字状部９２がコの字形の断面形状に形成されているので、係止部７２のレバー９１が押圧されていて、係止部７２のコの字状部９２が被係止部１０６から離れた位置にあっても、蓋３２を閉じる場合に、係止部７２のコの字状部９２と被係止部１０６とが干渉することがなく、被係止部１０６が、コの字形の断面形状に形成されている係止部７２のコの字状部９２に導かれて、係止部７２のコの字状部９２に被係止部１０６が挿入されるので、より確実に、被係止部１０６が係止部７２に係止され、より確実に、瓶２１の蓋３２を閉じることができる。また、係止部７２のコの字状部９２がコの字形の断面形状に形成されているので、コの字形の平滑な面が外側になり、引っ掛かったり、収容物が付着してしまったりすることを抑制でき、また仮に収容物が付着しても簡単に取れるので、より安全に、より清潔に使用することができる。
【００８３】
係止部７２がヒンジの軸と平行する向きの揺動軸７３により揺動自在に設けられているので、係止部７２のコの字状部９２の変位をより大きくすることができ、従って、被係止部１０６のＵ字形の閉じている側の端部と係合する突起１３１を十分に高くすることができ、より確実に、被係止部１０６が係止部７２に係止され、より確実に、瓶の蓋３２を閉じることができる。係止部７２のレバー９１が、コの字状部９２の面のうち、コの字形の開いている側に対向する面に連なる板状に形成されているので、開口部挟持部６１側に押圧しやすく、より確実に、より簡単に、蓋３２を開くことができる。係止部７２がヒンジの軸と平行する向きの揺動軸７３により揺動自在に設けられているので、係止部７２のレバー９１をより小さい力で押しても、係止部７２のコの字状部９２の内側の突起１３１と被係止部１０６のＵ字形の閉じている側の端部との係合を外すことができ、広口瓶１１を持ったまま、より小さい力で、より確実に、より簡単に、蓋３２を開くことができる。
【００８４】
また、被係止部１０６が開口部挟持部６１に向かって突出しているＵ字形とされているので、係止部７２を広口瓶１１の開口から蓋３２側に向かって突出させる必要がなく、収容物を注いだり、掬い出したりするときに邪魔にならず、また、引っ掛かったり、収容物が付着してしまったりすることを抑制できるので、より安全に、より清潔に使用することができる。さらにまた、被係止部１０６のＵ字形の閉じている側の端部の長手方向がヒンジの軸と平行する向きに配置されているので、広口瓶１１の開口の面に平行の向きに必要以上に出っ張ることがなく、邪魔になりにくく、また、引っ掛かったり、収容物が付着してしまったりすることを抑制できるので、より安全に、より清潔に使用することができる。このように、より確実に、より簡単に、瓶の蓋３２を開閉でき、より安全に、より清潔に使用することができる。
【００８５】
突起１３１の被係止部１０６に近い側には、コの字状部９２のコの字形の開いている側に対向する面に対して２０度以上６０度以下の角度の傾斜を形成し、突起１３１の揺動軸７３に近い側には、コの字状部９２コの字形の開いている側に対向する面に対して８０度以上１００度以下の角度の傾斜を形成することができる。このようにすることで、瓶２１の蓋３２の上面を押すだけで、より確実に、より簡単に、瓶２１の蓋３２を閉じることができる。
【００８６】
突起１３１の断面であって、被係止部１０６のＵ字形の閉じている側の端部の断面方向の断面は、三角状とすることができる。
【００８７】
バネ７４によって係止部７２のコの字状部９２が開口部挟持部６１側に押し付けられている場合、係止部７２のコの字状部９２のコの字形の開いている側が、開口部挟持部６１に当接することで、被係止部１０６が係止部７２に挿入可能な位置に係止部７２の位置が規制されるようにすることができる。このようにすることで、蓋３２を閉じる場合に、Ｕ字形に形成されている被係止部１０６が、位置が規制されている係止部７２のコの字状部９２に導かれて、係止部７２のコの字状部９２に被係止部１０６が挿入されるので、より確実に、被係止部１０６が係止部７２に係止され、より確実に、より簡単に、瓶の蓋３２を閉じることができる。
【００８８】
バネ７４は、板バネまたはねじりコイルバネとすることができる。
【００８９】
蓋３２挟持部６２と開口部挟持部６１とを接合するヒンジに、蓋挟持部６２と開口部挟持部６１とが所定の角度以上に開こうとする場合、開く動作を規制する開き角度規制部として突起１２１を設けることができる。このようにすることで、蓋３２を開ける場合に、所定の角度以上に開こうとするとき、開く動作が規制されるので、蓋３２が開きすぎて広口瓶１１が倒れてしまうことを防止でき、より安全に、より清潔に使用することができる。
【００９０】
開き角度規制部を、ヒンジの開口部挟持部６１側に設けられている突起１２１であって、蓋挟持部６２が開かれたときヒンジの蓋挟持部６２側に接触する突起１２１とすることができる。このようにすることで、より容易に製造することができる。
【００９１】
蓋挟持部６２および開口部挟持部６１を、金属材料で形成することができる。このようにすることで、へたりがより少なくなり、より確実に、より簡単に、瓶２１の蓋３２を開閉できる。また、樹脂等に比較すると、油などの汚れを比較的簡単に落とすことができるので、より安全に、より清潔に使用することができる。
【００９２】
蓋挟持部６２を、線状の金属材料で形成し、開口部挟持部６１を、板状の金属材料で形成することができる。このようにすることで、特殊な材料や加工を必要とせず、より容易に製造することができる。
【００９３】
蓋挟持部６２の一部を、開口部挟持部６１に対して蓋挟持部６２を開き方向に付勢するバネ状に形成することができる。
【００９４】
広口瓶１１に開閉器具５１を装着することができる。
【００９５】
なお、瓶２１は、ガラス製であると説明したが、これに限らず、アクリルやポリエチレンテレフタレートなど樹脂製であってもよい。瓶２１は、一般の広口瓶と称することができるものであればよい。
【００９６】
また、開口部挟持部６１および蓋挟持部６２は、ステンレススチールやメッキ鋼材などの金属材料で形成されると説明したが、これに限らず、ポリアセタールやポリアミドなどのエンジニアリングプラスチックなど樹脂により形成するようにしてもよい。
【００９７】
なお、レバー９１は、板状に形成されると説明したが、これに限らず、棒状であってもよい。バネ７４は、板バネまたはねじりコイルバネであると説明したが、係止部７２に付勢できればよく、松葉バネや竹の子バネなどの他の形状のバネであってもよい。
【００９８】
また、本発明の実施の形態は、上述した実施の形態に限定されるものではなく、本発明の要旨を逸脱しない範囲において種々の変更が可能である。
【符号の説明】
【００９９】
１１  広口瓶，  ２１  瓶，  ３１  本体，  ３２  蓋，  ３３  パッキン，  ４１および４２  留め溝，  ５１  開閉器具，  ６１  開口部挟持部，  ６２  蓋挟持部，  ７１  口金部，  ７２  係止部，  ７３  揺動軸，  ７４  バネ，  ７５  留め具，  ８１  支持部，  ８２  挟持部，  ８３  支持部，  ９１  レバー，  ９２  コの字状部，  ９３  挿入口，  ９４  位置規制部，  ９５  ヒンジ孔，  １０１  ヒンジ軸，  １０２  バネ部，  １０３  支持部，  １０４  挟持部，  １０５  支持部，  １０６  被係止部，  １２１および１３１  突起
【図１】
2019064718.tif 000003
【図２】
2019064718.tif 000004
【図３】
2019064718.tif 000005
【図４】
2019064718.tif 000006
【図５】
2019064718.tif 000007
【図６】
2019064718.tif 000008
【図７】
2019064718.tif 000009
【図８】
2019064718.tif 000010
【図９】
2019064718.tif 000011
【図１０】
2019064718.tif 000012
【図１１】
2019064718.tif 000013
【図１２】
2019064718.tif 000014
【図１３】
2019064718.tif 000015
【図１４】
2019064718.tif 000016